(57)【要約】【課題】  光ファイバを整列させる整列盤と、整列盤から引き込まれた光ファイバが光ファイバケーブルと接続される接続盤との間に、光ファイバの余長を収容する余長収容空間を具備する光配線盤では、余長収容空間の全余長について、整列盤と接続盤との間にＵ字形に垂れ下げる湾曲処理を実現できる技術の開発が求められていた。【解決手段】  前面側接続盤２３と背面側接続盤２４とによって構成された接続盤ユニット２２を具備し、しかも、接続盤ユニット２２と整列盤３３Ａ、３３Ｂとの間の余長収容空間３４の下部に、接続盤ユニット２２よりも下方に延びる下方延長空間３４ａが確保されている光配線盤１を提供する。【選択図】  図１
2006126512.tif 000002
【特許請求の範囲】
【請求項１】
光ファイバケーブル（６）の光ファイバ（６１）と、先端に光コネクタ（７２）が取り付けられている成端光ファイバ（７１）とを接続する光配線盤であって、
前記光ファイバケーブルの光ファイバを前記成端光ファイバに対してコネクタ接続可能とする光コネクタ（４２）が複数設置されたコネクタ配列面が前面側及び背面側に設けられている接続盤ユニット（２２）を有する成端架（２）と、
この成端架の隣に設置され、前記成端光ファイバ（７１）を整列させて支持する整列盤（３３Ａ、３３Ｂ）が設けられている配線架（３）と、
前記接続盤ユニットと前記整列盤との間に確保され、前記整列盤から前記接続盤ユニットに引き込まれて前記接続盤ユニットの光コネクタに接続される前記成端光ファイバの余長（７１ａ）を前記接続盤ユニットと前記整列盤との間に垂れ下げるようにしてＵ字状に湾曲させた状態で収容する余長収容空間（３４）とを具備し、
前記接続盤ユニット及び前記整列盤は、前記成端架及び前記配線架が設置される設置床（８）から上方に離隔した位置に設置されて、前記余長収容空間に、前記接続盤ユニット及び前記整列盤よりも下方に延在する下方延長空間（３４ａ）が確保されていることを特徴とする光配線盤（１）。
【請求項２】
前記成端架には、前記接続盤ユニットの下側に、前記光ファイバケーブルの端末が引き込まれるケーブル収容空間（２５）が確保されていることを特徴とする請求項１記載の光配線盤。
【請求項３】
前記接続盤ユニットは前面側の前面側接続盤と背面側の背面側接続盤とを有し、前記前面側接続盤及び前記背面側接続盤は、外観薄板状の光モジュールを複数、縦置き横並びとし、かつ、各光モジュールの側部に取り付けられている光コネクタが横並びに配列されるようにして収容するモジュール収容ユニット（５）を上下多段に設置した構成であり、
前記モジュール収容ユニットは、前記光モジュールを収容するモジュール収容部（５１）と、このモジュール収容部から前記光モジュールの光コネクタに対する成端光ファイバの切替接続作業が行われる作業面側に突設され前記成端光ファイバが配線される成端光ファイバ用ダクト（５３）と、前記モジュール収容部の下に設けられ前記成端架に引き込まれた光ファイバケーブル端末に露出された光ファイバが配線されるケーブル側光ファイバ用ダクト（５４）とを有することを特徴とする請求項１又は２記載の光配線盤。
【請求項４】
前記光モジュールは、光コネクタに対する成端光ファイバの切替接続作業が行われる作業面側に、前記光ファイバケーブル端末に露出された光ファイバがコネクタ接続されるケーブル接続用光コネクタ（４３）を有し、
前記光ファイバケーブル端末に露出された光ファイバは、前記ケーブル接続用光コネクタに接続することで、前記該光モジュール内に収容された光ファイバを介して、前記光モジュールの作業面側の光コネクタによって、前記成端光ファイバに対してコネクタ接続可能に成端されるようになっていることを特徴とする請求項１〜３のいずれかに記載の光配線盤。
【請求項５】
前記配線架の前面側及び背面側に、前記成端光ファイバの内、光モジュールの光コネクタに接続していない成端光ファイバ（７１１）の端末を保留するための保留エレメント（３５）が設けられていることを特徴とする請求項１〜４のいずれかに記載の光配線盤。
【請求項６】
前記整列盤は外観薄板状の整列エレメント（３３ａ）を複数重ね合わせて構成され、前記配線架の前面側及び背面側にそれぞれ設けられており、
前記整列エレメントは、前記整列盤から前記接続盤ユニットに配線される前記成端光ファイバが通される第１ゲート部（３３１）と、整列盤から前記保留エレメントに配線される前記成端光ファイバが通される第２ゲート部（３３２）とを有し、
前記第１ゲート部と前記第２ゲート部とは、整列盤から前記接続盤ユニットに引き込まれる成端光ファイバの配線ルート、及び、整列盤から前記保留エレメントに引き込まれる成端光ファイバの配線ルートにそれぞれ対応して、整列エレメントにおける設置位置及び／又は向きが互いに異なるようにして設けられていることを特徴とする請求項５記載の光配線盤。
【請求項７】
前記整列盤は前記配線架の前面側及び背面側にそれぞれ設けられており、
前面側の整列盤から前記接続盤ユニットに引き込まれる成端光ファイバと、背面側の整列盤から前記接続盤ユニットに引き込まれる成端光ファイバとを、前記接続盤ユニットと前記整列盤との間に確保された前記余長収容空間を介して、前記前面側接続盤と前記背面側接続盤とに対して選択的に引き込めるようになっていることを特徴とする請求項１〜６のいずれかに記載の光配線盤。
【請求項８】
前記配線架には、前面側の整列盤及び背面側の整列盤の上側又は下側に、前記配線架の前面側の整列盤から背面側接続盤に引き込まれる成端光ファイバ、及び／又は、前記配線架の背面側の整列盤から前面側接続盤に引き込まれる成端光ファイバが、成端架の前後方向に配線される渡り配線棚（９）が設けられていることを特徴とする請求項７記載の光配線盤。
【発明の詳細な説明】
【技術分野】
【０００１】
本発明は、光配線盤に係り、特に、光ファイバの接続切替等の作業性（保守性）に優れた光配線盤に関する。
【背景技術】
【０００２】
光通信網の設備センターに設けられる光配線盤としては、例えば、図１３（ａ）、（ｂ）に示すように、いわゆるフロアコードケーブルといった所内配線ケーブル１１０が引き込まれるケーブル収容架１０１（配線架）と、所外ケーブル（外線光ファイバケーブル）等の光ファイバケーブル１２０が引き込まれ、この光ファイバケーブル１２０の光ファイバ１２１をコネクタ接続可能に成端する光コネクタが多数配列されて群構成とされた端子盤収容架１０２とを具備し、光ファイバケーブル１２０と伝送装置等との接続を行うものが提供されている。従来、端子盤収容架１０２としては、例えば、光コネクタアダプタ１３１が側面に実装された薄形ケース状の光モジュール１３０を複数収容したユニット１４０を架体１５０に上下多段に搭載した構造の前面保守型接続盤が広く採用されている。前記光コネクタアダプタ１３１には、光ファイバケーブル１２０側の光ファイバ１２１をコネクタ接続可能に成端する光コネクタ（光コネクタプラグ。図示略）が、光モジュール１３０の内側から接続されている。
この前面保守型接続盤では、該接続盤の片面側（図１３（ｂ）左側の側面。前面。以下、作業面側とも言う）へのみユニット１４０からの光モジュール１３０の引き出しが可能であり、また、各ユニット１４０には光モジュール１３０が光コネクタアダプタ１３１が作業面側となる向きで収容される。ユニット１４０への光モジュール１３０の挿入は作業面側からのみ行える。
所内配線ケーブル１１０端末に露出された光ファイバ１１１を端子盤収容架１０２に引き込み、この光ファイバ１１１の先端に取り付けられた光コネクタ１１２（光コネクタプラグ）を作業面側から光コネクタアダプタ１３１に接続すると、この光コネクタ１１２が光モジュール１３０の内側から光コネクタアダプタ１３１に接続されている光コネクタと光コネクタアダプタ１３１内で接続されることで、伝送装置等と接続されている所内配線ケーブル１１０の光ファイバ１１１と光ファイバケーブル１２０側の光ファイバ１２１との光接続が実現される。また、光ファイバ１１１先端の光コネクタ１１２を光モジュール１３０の光コネクタアダプタ１３１に対して切替接続することで、所内配線ケーブル１１０側の光回線と光ファイバケーブル１２０側の光回線との接続を切り替えることができる。
【０００３】
ケーブル収容架１０１は、架内に引き込まれた複数本の所内配線ケーブル１１０の端末に露出されている光ファイバ１１１を整列させる整列部１６０（整列盤）を搭載しており、光ファイバ１１１は、整列部１６０から引き出された部分を端子盤収容架１０２に引き込んで、その先端の光コネクタ１１２を端子盤収容架１０２の作業面側から光モジュール１３０の光コネクタアダプタ１３１に接続する。また、整列部１６０と端子盤収容架１０２との間に確保された余長収容空間１７０には、整列部１６０と端子盤収容架１０２との間にて確保された光ファイバ１１１の余長１１１ａが、整列部１６０と端子盤収容架１０２とから下方に垂れ下がるようにしてＵ字状に湾曲処理して収容される。
なお、前面保守型接続盤を有する光配線盤を開示する文献としては、例えば特許文献１、２等がある。
【特許文献１】特開２００３−２１５３５３号公報
【特許文献２】特開２００１−００４８４８号公報
【発明の開示】
【発明が解決しようとする課題】
【０００４】
しかしながら、前述の光配線盤の場合、余長収容空間１７０での光ファイバ１１１の余長１１１ａの湾曲処理は、前述の通り、整列部１６０と端子盤収容架１０２とから下方に垂れ下げるようにしてＵ字状に湾曲させて余長収容空間１７０に収容するものであるため、端子盤収容架１０２の下部に位置するユニット１４０に収容されている光モジュール１３０の光コネクタアダプタ１３１に接続される光ファイバ１１１については、余長収容空間１７０に余長１１１ａを垂れ下げる形態の湾曲処理を行えないケースが発生する。これに鑑みて、余長収容空間１７０の底部にガイド部材やクランプ部材等を設置して、余長収容空間１７０の底部に配線される光ファイバの湾曲処理や整列等を図ることも試みられているが、余長収容空間１７０の底部に多数本の光ファイバ１１１が溜まって輻輳しやすくなり、また、余長収容空間１７０での光ファイバの余長処理形態の違いによって光配線盤内での光ファイバの取り扱いを変える必要が生じるため、切替接続に伴う移設等の作業の効率低下の原因になる。また、ガイド部材やクランプ部材等の設置により、コスト上昇の原因にもなるといった問題もある。
ケーブル収容架１０１における整列部１６０の搭載位置、及び、端子盤収容架１０２における全ユニット１４０の搭載位置を、出来るだけ架の上部にすれば、全ての光ファイバ１１１について、余長収容空間１７０に垂れ下げてＵ字状に湾曲させる余長処理が可能となるが、ユニット１４０については、設計自由度の高い整列部１６０に比べて上下方向寸法の縮小が困難であることから、搭載数の減少を余儀なくされ、今度は、光配線盤の収容心数の確保が難しくなるといった不満がある。
【０００５】
本発明は、前記課題に鑑みて、接続盤ユニットと整列盤との間に確保された余長収容空間に収容される光ファイバの余長の湾曲処理を、接続盤ユニットと整列盤との間に垂れ下げてＵ字状に湾曲させる処理に統一することができ、光ファイバの切替接続等に伴う移設等の作業性を向上できるとともに、収容心数を大幅に増やすことも可能な光配線盤の提供を目的としている。
【課題を解決するための手段】
【０００６】
上記課題を解決するために、本発明では以下の構成を提供する。
請求項１記載の発明は、光ファイバケーブルの光ファイバと、先端に光コネクタが取り付けられている成端光ファイバとを接続する光配線盤であって、前記光ファイバケーブルの光ファイバを前記成端光ファイバに対してコネクタ接続可能とする光コネクタが複数設置されたコネクタ配列面が前面側及び背面側に設けられている接続盤ユニットを有する成端架と、この成端架の隣に設置され、前記成端光ファイバを整列させて支持する整列盤が設けられている配線架と、前記接続盤ユニットと前記整列盤との間に確保され、前記整列盤から前記接続盤ユニットに引き込まれて前記接続盤ユニットの光コネクタに接続される前記成端光ファイバの余長を前記接続盤ユニットと前記整列盤との間に垂れ下げるようにしてＵ字状に湾曲させた状態で収容する余長収容空間とを具備し、前記接続盤ユニット及び前記整列盤は、前記成端架及び前記配線架が設置される設置床から上方に離隔した位置に設置されて、前記余長収容空間に、前記接続盤ユニット及び前記整列盤よりも下方に延在する下方延長空間が確保されていることを特徴とする光配線盤である。
請求項２記載の発明は、請求項１記載の光配線盤において、前記成端架には、前記接続盤ユニットの下側に、前記光ファイバケーブルの端末が引き込まれるケーブル収容空間が確保されていることを特徴とする。
請求項３記載の発明は、請求項１又は２記載の光配線盤において、前記接続盤ユニットは前面側の前面側接続盤と背面側の背面側接続盤とを有し、前記前面側接続盤及び前記背面側接続盤は、外観薄板状の光モジュールを複数、縦置き横並びとし、かつ、各光モジュールの側部に取り付けられている光コネクタが横並びに配列されるようにして収容するモジュール収容ユニットを上下多段に設置した構成であり、前記モジュール収容ユニットは、前記光モジュールを収容するモジュール収容部と、このモジュール収容部から前記光モジュールの光コネクタに対する成端光ファイバの切替接続作業が行われる作業面側に突設され前記成端光ファイバが配線される成端光ファイバ用ダクトと、前記モジュール収容部の下に設けられ前記成端架に引き込まれた光ファイバケーブル端末に露出された光ファイバが配線されるケーブル側光ファイバ用ダクトとを有することを特徴とする。
請求項４記載の発明は、請求項１〜３のいずれかに記載の光配線盤において、前記光モジュールは、光コネクタに対する成端光ファイバの切替接続作業が行われる作業面側に、前記光ファイバケーブル端末に露出された光ファイバがコネクタ接続されるケーブル接続用光コネクタを有し、前記光ファイバケーブル端末に露出された光ファイバは、前記ケーブル接続用光コネクタに接続することで、前記該光モジュール内に収容された光ファイバを介して、前記光モジュールの作業面側の光コネクタによって、前記成端光ファイバに対してコネクタ接続可能に成端されるようになっていることを特徴とする。
請求項５記載の発明は、請求項１〜４のいずれかに記載の光配線盤において、前記配線架の前面側及び背面側に、前記成端光ファイバの内、光モジュールの光コネクタに接続していない成端光ファイバの端末を保留するための保留エレメントが設けられていることを特徴とする。
請求項６記載の発明は、請求項５記載の光配線盤において、前記整列盤は外観薄板状の整列エレメントを複数重ね合わせて構成され、前記配線架の前面側及び背面側にそれぞれ設けられており、前記整列エレメントは、前記整列盤から前記接続盤ユニットに配線される前記成端光ファイバが通される第１ゲート部と、整列盤から前記保留エレメントに配線される前記成端光ファイバが通される第２ゲート部とを有し、前記第１ゲート部と前記第２ゲート部とは、整列盤から前記接続盤ユニットに引き込まれる成端光ファイバの配線ルート、及び、整列盤から前記保留エレメントに引き込まれる成端光ファイバの配線ルートにそれぞれ対応して、整列エレメントにおける設置位置及び／又は向きが互いに異なるようにして設けられていることを特徴とする。
請求項７記載の発明は、請求項１〜６のいずれかに記載の光配線盤において、前記整列盤は前記配線架の前面側及び背面側にそれぞれ設けられており、前面側の整列盤から前記接続盤ユニットに引き込まれる成端光ファイバと、背面側の整列盤から前記接続盤ユニットに引き込まれる成端光ファイバとを、前記接続盤ユニットと前記整列盤との間に確保された前記余長収容空間を介して、前記前面側接続盤と前記背面側接続盤とに対して選択的に引き込めるようになっていることを特徴とする。
請求項８記載の発明は、請求項７記載の光配線盤において、前記配線架には、前面側の整列盤及び背面側の整列盤の上側又は下側に、前記配線架の前面側の整列盤から背面側接続盤に引き込まれる成端光ファイバ、及び／又は、前記配線架の背面側の整列盤から前面側接続盤に引き込まれる成端光ファイバが、成端架の前後方向に配線される渡り配線棚が設けられていることを特徴とする。
【発明の効果】
【０００７】
本発明の光配線盤によれば、以下のような優れた効果が得られる。
（１）成端架に、光ファイバケーブルの光ファイバをコネクタ接続可能に成端する光コネクタが前面側及び背面側に複数設置されている接続盤ユニットを搭載した構成により、収容心数（対応心数）を充分に確保できるとともに、接続盤ユニット及び前記整列盤よりも下方に延在する余長収容空間の下方延長空間に充分な大きさ（特に上下方向寸法）を確保できる。これにより、配線架から成端架に引き込まれる全ての成端光ファイバの余長を、余長収容空間での垂れ下がり方式で湾曲処理することを容易に実現できる。余長収容空間での成端光ファイバの余長処理を、全ての成端光ファイバについて垂れ下がり方式に統一すれば、成端架の光モジュールの光コネクタに対する成端光ファイバの切替接続等に伴う移設、成端光ファイバの増設、撤去等の作業性も良好に確保できる。
（２）整列盤から成端架に引き込まれる成端光ファイバは余長収容空間を介することで、接続盤ユニットの前面側への引き込みと背面側への引き込みとを自由に選択できる。これにより、全ての成端光ファイバについて、光ファイバケーブルの各光ファイバに対する切替接続が可能であり、成端光ファイバが、接続盤ユニットの前面側へ引き込まれる配線ルートと、背面側へ引き込まれる配線ルートとに振り分けられる構造により、収容心数が多い場合でも、接続盤ユニットの光コネクタに対する成端光ファイバの切替接続の作業性を良好に確保できるといった利点がある。
【発明を実施するための最良の形態】
【０００８】
以下、本発明を実施した光配線盤について、図面を参照して説明する。
図１は本発明に係る光配線盤１を示す全体斜視図、図２は前記光配線盤１を示す図であり（ａ）は正面図、（ｂ）は側面図、図３は図２（ｂ）のＡ−Ａ線矢視図、図４は図２（ａ）のＢ−Ｂ線断面矢視図、図５は光配線盤１の成端架２に搭載されるモジュール収容ユニット５を示す斜視図、図６はモジュール収容ユニット５を示す図であって（ａ）は平面図、（ｂ）は正面図、図７はモジュール収容ユニット５を示す側面図（但し、光モジュールの光コネクタ４３の構造を実線で示した）、図８は整列エレメント３３ａを示す斜視図、図９は図８のＣ−Ｃ線矢視図、図１０は保留エレメント３５を示す斜視図である。
図１、図２（ａ）に示すように、光配線盤１は、成端架２と、この成端架２の隣に横並びに設置された配線架３とを有している。なお、ここで説明する光配線盤１は、光通信網に設置される設備センター内に設けられるものである。図中、符号８は、設備センター内に設けられた設置床であり、前記光配線盤１は前記設置床８上に設置される。
【０００９】
成端架２は、枠状のフレーム２１（以下、架本体）と、この架本体２１内に設置された接続盤ユニット２２とを有している。前記成端架２は、光ファイバケーブル６の端末が引き込まれるとともに、この光ファイバケーブル６の端末に露出されている光ファイバ６１（以下、ケーブル側光ファイバとも言う）を、前記接続盤ユニット２２に設けられている光コネクタ４２によって、配線架３から引き込まれた光ファイバ（後述の成端光ファイバ７１）に対してコネクタ接続可能に成端する機能を果たすものである。
前記接続盤ユニット２２の前面側（光配線盤１の前面側（図２（ａ）紙面手前側、図４左側））と、背面側（光配線盤１の背面側（図２（ａ）紙面奥側、図４右側））とには、ケーブル側光ファイバ６１をコネクタ接続可能に成端するための光コネクタ４２（光コネクタアダプタという場合もある）が複数設置されている。図示例の光配線盤１において、接続盤ユニット２２の前記光コネクタ４２は、接続盤ユニット２２に複数収容された光モジュール４の側部に取り付けられたものである。接続盤ユニット２２及び光モジュール４の構成については、後に詳述する。
【００１０】
ここで、「コネクタ接続可能に成端」という言葉の意味は、光ファイバの先端に光コネクタを取付ける行為、また、光コネクタを取り付けた後に光コネクタアダプタや光コネクタレセプタクルといった受け側光コネクタ（両側の光コネクタプラグ同士を向かい合わせる中継用の光コネクタハウジングを言う）、に接続する行為、あるいは、すでに光コネクタが取り付けられている光ファイバを、前記受け側光コネクタに挿入する行為を言うものとする。コネクタ接続可能に成端された光ファイバは、当該光ファイバ先端の光コネクタを別の光コネクタと接続（前記受け側光コネクタへの光コネクタプラグの挿入）することで、別の光ファイバ等によって構成されている光回線との光接続が実現される。また、ここでは、受け側光コネクタに対する光コネクタプラグの接続は、着脱可能であるものとする。
前述のケーブル側光ファイバ６１について説明すれば、前記接続盤ユニット２２の光コネクタ４２は、成端光ファイバ７１の先端に取り付けられた光コネクタ７２（光コネクタプラグ）を挿入することで接続できる光コネクタアダプタあるいは光コネクタレセプタクルといった受け側光コネクタ（光コネクタ）である。この受け側光コネクタをケーブル側光ファイバ６１の先端に直接取り付けるか、あるいは、この受け光コネクタが一端に取り付けられている光ファイバの他端側にケーブル側光ファイバ６１を光接続することで、成端光ファイバ７１先端に取り付けられた光コネクタ７２（光コネクタプラグ）の光コネクタ４２への挿入、接続によって、ケーブル側光ファイバ６１と成端光ファイバ７１との光コネクタによる光接続が実現される。
【００１１】
図４等に示すように、この接続盤ユニット２２は、前面側の前面側接続盤２３と背面側の背面側接続盤２４とで構成されている。
前面側接続盤２３及び背面側接続盤２４は、それぞれ、架本体２１に上下多段に取り付けた複数のモジュール収容ユニット５によって構成されている。モジュール収容ユニット５は、外観薄板状に形成された光モジュール４を縦置き横並びの配列状態に複数収容している。このモジュール収容ユニット５の構成については、後に詳述する。図示例の光配線盤１では、前面側接続盤２３、背面側接続盤２４のいずれも、架本体２１に６段搭載されたモジュール収容ユニット５によって構成されているが、前面側接続盤２３及び背面側接続盤２４を構成するモジュール収容ユニット５の数はこれに限定されず、それぞれ変更可能である。
但し、前面側接続盤２３及び背面側接続盤２４は、成端架２の下部に確保したケーブル収容空間２５よりも上に設けられる。
【００１２】
図５、図６（ａ）、（ｂ）、図７に示すように、モジュール収容ユニット５は枠状のモジュール収容部５１を有しており、このモジュール収容部５１内に前記光モジュール４を縦置き横並びの配列状態に複数収容している。
図５、図７に示すように、光モジュール４は、外観薄板状に形成されたプラスチック製偏平ケース状のモジュール本体４１の一端部（前端部。側部の一部）に光コネクタ４２、４３（ここではその形状により光コネクタアダプタあるいは光コネクタレセプタクルであるが、光コネクタレセプタクルの場合も、光コネクタアダプタとも言うことがある）が実装された構造である。
前面側接続盤２３においては、光モジュール４は、光コネクタアダプタ４２、４３が、光配線盤１の前面側（図２（ａ）紙面手前側、図４左側）となる向きでモジュール収容ユニット５のモジュール収容部５１内に収容される。一方、背面側接続盤２４においては、光モジュール４は、光コネクタアダプタ４２、４３が、光配線盤１の背面側（図２（ａ）紙面奥側、図４右側）となる向きでモジュール収容ユニット５のモジュール収容部５１内に収容される。
なお、図５中、符号４２ａはキャップであり、光コネクタアダプタ４２に離脱可能に装着してある。光コネクタアダプタ４２からキャップ４２ａを取り外せば、光コネクタアダプタ４２への成端光ファイバ７１先端の光コネクタ７２の挿入及び接続が可能となる。
【００１３】
前面側接続盤２３は、光配線盤１の前面側からのモジュール収容ユニット５（詳細にはモジュール収容部５１）への光モジュール４の挿入、モジュール収容ユニット５から光配線盤１の前面側への光モジュール４の引き出しが可能である。背面側接続盤２４は、光配線盤１の背面側からのモジュール収容ユニット５（詳細にはモジュール収容部５１）への光モジュール４の挿入、モジュール収容ユニット５から光配線盤１の背面側への光モジュール４の引き出しが可能である。以下、前面側接続盤２３のモジュール収容ユニット５に対する光モジュール４の出し入れが行われる前面側（光配線盤１の前面側）を、（前面側接続盤２３についての）作業面側とも言う。また、以下、背面側接続盤２４のモジュール収容ユニット５に対する光モジュール４の挿入、引き出しが行われる背面側（光配線盤１の背面側）を、（背面側接続盤２４についての）作業面側とも言う。また、以下、モジュール収容ユニット５が搭載されている接続盤が前面側接続盤２３、背面側接続盤２４のいずれであっても、モジュール収容ユニット５から光モジュール４が引き出される側を、モジュール収容ユニット５の作業面側として説明する。
【００１４】
前面側接続盤２３、背面側接続盤２４のモジュール収容ユニット５への作業面側からの光モジュール４の挿入は、図７に示すように、モジュール収容ユニット５（詳細にはモジュール収容部５１）の作業面側から見て奥行き方向最深部に設けられているストッパ部材５２に、光モジュール４の前記前端部とは反対側の後端部が突き当たったところで、それ以上の押し込みが規制され、挿入限界となる。モジュール収容ユニット５に対する光モジュール４の挿入、引き出しの作業は、作業面側からのみ可能である。
なお、ストッパ部材５２は、光モジュール４が当接されることでモジュール収容ユニット５に対する光モジュール４の挿入限界を決める機能を果たすものであれば良く、必ずしも、光モジュール４の後端部に当接するものである必要は無い。
【００１５】
図４、図７に示すように、前面側接続盤２３のモジュール収容ユニット５と背面側接続盤２４のモジュール収容ユニット５とは、成端架２の奥行き方向（前後方向。図４左右方向）の中央部にて突き合わせるようにして近接配置されている。
本発明に係る接続盤ユニット２２としては、例えば、前面側接続盤２３のモジュール収容ユニット５と背面側接続盤２４のモジュール収容ユニット５との間に、光ファイバケーブルの挿通等に利用される空間を確保した構成等も採用することができる。但し、前面側接続盤２３のモジュール収容ユニット５と背面側接続盤２４のモジュール収容ユニット５とを突き合わせるように近接配置する構成であれば、接続盤ユニット２２の成端架２の奥行き方向寸法を出来るだけ小さくできる利点がある。
【００１６】
成端架２には光ファイバケーブル６が引き込まれる。光ファイバケーブル６は、成端架２のケーブル収容空間２５に引き込まれ、このケーブル収容空間２５内に設けられているケーブル固定具２５ａによって固定される。但し、光ファイバケーブル６の成端架２への引き込み位置は、必ずしもケーブル収容空間２５である必要は無く、例えば、成端架２の上にケーブル固定具２５ａを取り付けた固定棚を設けて、この固定棚に引き込む構成等であっても良い。
【００１７】
光ファイバケーブル６の端末に露出された光ファイバ６１（以下、ケーブル側光ファイバとも言う）は、前面側接続盤２３あるいは背面側接続盤２４に引き込まれ、光モジュール４の光コネクタアダプタ４２によって、配線架３から成端架２に引き込まれる光ファイバ７１（後述）先端の光コネクタ７２に対してコネクタ接続可能に成端される（図７参照）。
図２（ａ）、図３等に示すように、ケーブル側光ファイバ６１は、ケーブル収容空間２５から、光配線盤１の中央部にて接続盤ユニット２２と整列盤３３Ａ、３３Ｂとの間に確保された余長収容空間３４（後述）を経由して、接続盤ユニット２２の側部（配線架３側の側部）から目的のモジュール収容ユニット５に引き込まれる。図示例では、ケーブル側光ファイバ６１として、先端が、光コネクタ６２（光コネクタプラグ）によってコネクタ接続可能に成端されたコネクタ付き光ファイバを例示しており、光モジュール４の光コネクタアダプタ４３に押し込むだけで、ケーブル側光ファイバ６１と光モジュール４内の光ファイバ４４との光接続が実現されるようになっている。光モジュール４内の光ファイバ４４は、一端が光コネクタアダプタ４２に接続され、他端が光コネクタアダプタ４３に接続されており、光コネクタアダプタ４３にて、この光ファイバ４４にケーブル側光ファイバ６１を接続すると、ケーブル側光ファイバ６１が光ファイバ４４を介して光コネクタアダプタ４２によって、成端光ファイバ７１に対してコネクタ接続可能に成端されることとなる。
【００１８】
図７に示す例を具体的に説明すると、ケーブル側光ファイバ６１として多心光ファイバテープ心線を採用しており、ケーブル側光ファイバ６１先端を成端する光コネクタ６２として、ＭＴ形光コネクタ（ＭＴ:Mechanically Transferable。ＪＩＳ  Ｃ  ５９８１に制定されるＦ１２形光コネクタ）にて用いられる光コネクタフェルール（以下、MT形光コネクタという）を採用している。光モジュール４内に収容されている光ファイバ４４は、光コネクタ６２と同じ心数の多心用のＭＴ形光コネクタである光コネクタ４４ａによって先端がコネクタ接続可能に成端された多心光ファイバ部４４ｂと、この多心光ファイバ部４４ｂの前記光コネクタ４４ａとは反対側の端部である分岐部４４ｃから単心分岐された複数本の単心光ファイバ部４４ｄと、各単心光ファイバ部４４ｄの先端に取り付けられた光コネクタ４４ｅ（単心光コネクタプラグ）とを有する分岐接続用の光ファイバである。
光コネクタ４４ｅは、光モジュール４の内側から光コネクタアダプタ４２に接続されている。モジュール収容ユニット５内の光モジュール４の光コネクタアダプタ４２に作業面側から成端光ファイバ７１（ここでは、単心光ファイバ）先端の光コネクタ７２を挿入して接続すると、光コネクタアダプタ４２内での光コネクタ４４ｅ、７２同士の接続によって、光ファイバ４４の単心光ファイバ部４４ｄと成端光ファイバ７１とが光接続される。光コネクタアダプタ４２は、ここではＭＵ形光コネクタ（ＭＵ:Miniature-unit Coupling optical fiber connector。ＪＩＳ  Ｃ  ５９８３に制定されるＦ１４形光コネクタ）であり、複数対の光コネクタ４４ｅ、７２同士の接続を実現できる。光ファイバ４４の単心光ファイバ部４４ｄ先端の光コネクタ４４ｅ、及び、成端光ファイバ７１先端の光コネクタ７２は、光コネクタアダプタ４２に接続可能な光コネクタプラグである。
一方、光ファイバ４４の多心光ファイバ部４４ｂ先端の光コネクタ４４ａは、光コネクタアダプタ４３に組み込まれており、作業面側からケーブル側光ファイバ６１先端の光コネクタ６２が光コネクタアダプタ４３に押し込まれることで、光コネクタアダプタ４３内で光コネクタ６２と接続される。光コネクタ４４ａ、４３同士が接続されると、ケーブル側光ファイバ６１が光ファイバ４４の多心光ファイバ部４４ｂと光接続され、これにより、ケーブル側光ファイバ６１が光ファイバ４４を介して単心分岐されて、光コネクタアダプタ４２によって成端光ファイバ７１に対してコネクタ接続可能に成端される。
【００１９】
ケーブル側光ファイバ６１先端の光コネクタ６２は、作業面側から光コネクタアダプタ４３に押し込むだけで、光ファイバ４４の光コネクタ４４ａと接続できる。また、光コネクタアダプタ４３にケーブル側光ファイバ６１先端の光コネクタ６２を押し込んだ後、光コネクタアダプタ４３に設けられている板バネ状のクリップ４３ａを回転操作して光コネクタ６２と係合させることで、光コネクタアダプタ４３内への光コネクタ６２の押し込み状態の維持と、光コネクタ４４ａ、６２間の突き当て力付与とを実現できる。また、クリップ４３ａと光コネクタ６２との係合は、クリップ４３ａの回転操作（光コネクタ６２に対する係合時とは反対の方向への回転操作）によって簡単に解除することができ、これにより、光コネクタアダプタ４３からの光コネクタ６２の抜き出し、光コネクタ４４ａとの接続解除を簡単に実現できる。光コネクタアダプタ４３は、光ファイバケーブル６端末に露出された光ファイバ６１がコネクタ接続されるケーブル接続用光コネクタとして機能する。
【００２０】
なお、光ファイバ４４、６１、７１の心数、光コネクタアダプタ４２、４３の種類等は、上述した構成のものに限定されず、適宜、変更可能である。また、光モジュール４に設けられる光コネクタ４２、４３としては、成端光ファイバ７１あるいはケーブル側光ファイバ６１を光モジュール４内の光ファイバと接続する機能を果たすものであれば良く、光コネクタアダプタに限定されず、例えば、光コネクタレセプタクル等も採用可能である。光コネクタプラグである光コネクタ４４ａ、４４ｅ、６２、７２としては、光コネクタ４２あるいは光コネクタ４３の種類に対応して接続可能なものを採用することは言うまでも無い。
光ファイバケーブル６としては、例えば光配線盤同士間を接続するもの（所謂、縦系ケーブルなど）等が用いられる。
【００２１】
図２（ａ）、（ｂ）等に示すように、配線架３には、例えば、所内に設置された伝送装置（図示略）等と接続されたフロアコードケーブルといった光ファイバケーブル７が、該配線架３の下部に確保されたケーブル収容空間３１に引き込まれ、ケーブル収容空間３１内に設けられているケーブル固定具３２によって固定される。光ファイバケーブル７の端末に露出されている光ファイバ７１は、先端が、光コネクタ７２（光コネクタプラグ）によってコネクタ接続可能に成端されている成端光ファイバである。
配線架３から成端架２に引き込まれる多数本の成端光ファイバ７１は、配線架３内に設置されている整列盤３３Ａ、３３Ｂに引き通されて整列されるようになっている。配線架３には、二つの整列盤３３Ａ、３３Ｂが、配線架３の奥行き方向（図３上下方向、図４左右方向。換言すれば前後方向）に位置をずらして設けられている。整列盤３３Ａ、３３Ｂは、成端光ファイバ７１が引き通される外観薄板状の整列エレメント３３ａ（図８参照）を上下多段に積層した構造であり、多数本の成端光ファイバ７１を上下多段に整列させて支持する機能を果たす。この整列盤３３Ａ、３３Ｂは、成端架３の上端から中央部までの範囲に設けられている。成端光ファイバ７１は、成端架２の接続盤ユニット２２と整列盤３３Ａ、３３Ｂとの間に確保された余長収容空間３４を経由して接続盤ユニット２２の目的のモジュール収容ユニット５に引き込まれるようになっている。
なお、整列エレメント３３ａは、これ単独でも本発明に係る整列盤として機能し得る。
【００２２】
配線架３に複数の整列盤３３Ａ、３３Ｂを設置した構成であれば、整列盤が一つのみである場合に比べて、整列盤の上下方向寸法を縮小でき（整列盤一つ当たりの整列エレメント３３ａの積層数を少なくできる）、整列盤の設置位置を配線架３の出来るだけ上側とする（最下段の整列エレメント３３ａの位置を出来るだけ上側にする）点で有利である。また、複数の整列盤３３Ａ、３３Ｂによって成端光ファイバ７１を整列させる構成であれば、成端光ファイバ７１の導入本数が多い場合でも整列配線が容易であり、しかも、成端光ファイバ７１の移設、撤去等の際に、作業対象の成端光ファイバ７１を発見しやすく、作業性を向上できるといった利点がある。
【００２３】
なお、整列盤３３Ａ、３３Ｂは、ケーブル収容空間３１の上側に設けられており、整列盤３３Ａ、３３Ｂの最下段に引き通される成端光ファイバ７１の導入部分の位置（高さ）は、成端架２の架本体２１の上部から中央部までの範囲にわたって設けられている接続盤ユニット２２の下端と同じか、あるいは、それよりも上側に位置する。
図示例の光配線盤１では、成端架２の接続盤ユニット２２の側部が配線架３に近接配置されているため、前記余長収容空間３４は全体が配線架３内に位置するが、例えば、接続盤ユニット２２が成端架２における配線架３側の側部よりも成端架２内側に引き込んだ位置である場合は、余長収容空間３４が成端架２と配線架３とに跨って存在する構成や、成端架３側のみに存在する構成も採用できる。
【００２４】
また、図２（ｂ）、図３に示すように、配線架３には、成端光ファイバ７１の内、光モジュール４の光コネクタアダプタ４２に接続していない成端光ファイバ７１（以下、保留光ファイバ７１１と称する場合がある）の端末を保留するための保留エレメント３５が設けられている。図１０に示すように、前記保留エレメント３５は、成端光ファイバ７１先端の光コネクタ７２を取り出し可能に収容するケース状の部材であり、図２（ｂ）、図３に示すように、前記配線架３の前面側の開閉扉３６の内面側（整列盤３３Ａに対面される側）と、背面側の開閉扉３７の内面側（整列盤３３Ｂに対面される側）とにそれぞれ複数設けられている。これら保留エレメント３５は、開閉扉を配線架３の外側に開く（図３仮想線参照）ことで露出させることができ、成端光ファイバ７１先端の光コネクタ７２の収容及び取り出しを行える。
【００２５】
図８は、配線架３の前面側の整列盤３３Ａに搭載される整列エレメント３３ａを示す。
図８、図９に示すように、整列エレメント３３ａは、外観薄板状に形成された偏平な筒状体である。整列盤３３Ａ、３３Ｂは、前記整列エレメント３３ａを上下に複数重ね合わせた構造になっている。
この整列エレメント３３ａは、プレート状のベース部３３ｂと、このベース部３３ｂ上に着脱可能に装着された蓋板３３ｃと、着脱壁３３５（後述）とを具備しており、ベース部３３ｂと蓋板３３ｃとの間には、成端光ファイバ７１を収容する光ファイバ収容空間３３ｄが確保されている。この光ファイバ収容空間３３ｄは、整列エレメント３３ａを貫通しており、整列エレメント３３ａの両側に開口部を有している。また、この光ファイバ収容空間３３ｄは、整列エレメント３３ａの内部空間全体を指すものである。
【００２６】
整列エレメント３３ａの内部には、光ファイバ収容空間３３ｄを貫通させるようにして引き通し配線した成端光ファイバ７１（図８中、符号７１２の成端光ファイバ）を収容できる。この場合、成端光ファイバ７１の長手方向の一部が光ファイバ収容空間３３ｄに収容されるとともに、光ファイバ収容空間３３ｄの両側の開口部から成端光ファイバ７１が延出された状態となる。但し、光ファイバ収容空間３３ｄの一方の開口部は、ベース部３３ｂ及び蓋体３３ｃの一方又は両方に固定（図示例では、ベース部３３ｂと蓋体３３ｃの両方に固定）された仕切壁３３４によって、引き込みゲート部３３３と第２ゲート部３３２とに分割されており、前述のように光ファイバ収容空間３３ｄを貫通させるようにして引き通し配線される成端光ファイバ７１は、前記引き込みゲート部３３３と、光ファイバ収容空間３３ｄの他方の開口部である第１ゲート部３３１とに通される。
一方、保留光ファイバ７１１は、引き込みゲート部３３３と第２ゲート部３３２とに通して、光ファイバ収容空間３３ｄ内にＵ字状に湾曲配線される。
【００２７】
図３に示すように、前記整列エレメント３３ａは、配線架３において、第１ゲート部３３１が余長収容空間３４側、第２ゲート部３３２及び引き込みゲート部３３３が反対側となる向きで配置される。
また、図９に示すように、ベース部３３ｂの側部に立設されている突壁３３ｅが、偏平な整列エレメント３３ａの光ファイバ収容空間３３ｄの両側の側壁部の内の一方として機能し、着脱壁３３５が光ファイバ収容空間３３ｄの両側の側壁部の内の他方として機能している。
前面側の整列盤３３Ａの整列エレメント３３ａは着脱壁３３５が配線架２の前面側、前面側の整列盤３３Ｂの整列エレメント３３ａは着脱壁３３５が配線架２の背面側となる向きで配線架２に設けられる。
また、前面側の整列盤３３Ａの整列エレメント３３ａでは、引き込みゲート部３３３が第２ゲート部３３２よりも配線架３奥行き方向で背面側にずれた所に位置し、背面側の整列盤３３Ｂの整列エレメント３３ａでは、引き込みゲート部３３３が第２ゲート部３３２よりも配線架３奥行き方向で前面側にずれた所に位置している。
【００２８】
整列盤３３Ａ、３３Ｂから前記接続盤ユニット２２に引き込まれて光モジュール４の光コネクタアダプタ４２に接続された成端光ファイバ７１（現用回線の成端光ファイバ。以下、現用光ファイバ７１２とも称する）は、第１ゲート部３３１と引き込みゲート部３３３とを通るようにして整列エレメント３３ａに引き通される。現用光ファイバ７１２の内、整列エレメント３３ａ内に収容される部分から先端側（光コネクタ７２側）は、整列エレメント３３ａの第１ゲート部３３１から延出され、基端側（光ファイバケーブル７側）は引き込みゲート部３３３から延出される。保留光ファイバ７１１は、整列エレメント３３ａ内での湾曲配線によって、第２ゲート部３３２と引き込みゲート部３３３とを通るようにして整列エレメント３３ａに引き通される。一方、接続されない保留光ファイバ７１１の内、整列エレメント３３ａ内に収容される部分から基端側（光ファイバケーブル７側）が引き込みゲート部３３３から延出されることは現用光ファイバ７１２と同じであるが、先端側（光コネクタ７２側）は整列エレメント３３ａの第２ゲート部３３２から延出され、配線架３内での引き回しによって保留エレメント３５まで配線される。
【００２９】
前面側の整列盤３３Ａから延出された保留光ファイバ７１１は、配線架３の奥行き方向において整列盤３３Ａよりも前面側に設けられた保留エレメント３５まで配線され、背面側の整列盤３３Ｂから延出された保留光ファイバ７１１は、配線架３の奥行き方向において整列盤３３Ｂよりも背面側に設けられた保留エレメント３５まで配線されるようになっており、配線ルートを区別したことにより、前面側の整列盤３３Ａから延出された保留光ファイバ７１１と、背面側の整列盤３３Ｂから延出された保留光ファイバ７１１との輻輳が回避できるようになっている。このため、保留光ファイバ７１１の本数が多い場合でも、現用光ファイバ７１２へ変更する保留光ファイバ７１１の発見、取り出し、配線ルートの変更等が容易になるといった利点がある。
【００３０】
すなわち、成端光ファイバ７１は、整列盤３３Ａ、３３Ｂから接続盤ユニット２２に引き込まれる配線ルートと、整列盤３３Ａ、３３Ｂから前記保留エレメント３５に引き込まれる配線ルートとにそれぞれ対応して、整列エレメント３３ａの第１、第２ゲート部３３１、３３２の内の一方を選択して、選択したゲート部から先端側（光コネクタ７２側）が延出されるようにして、整列エレメント３３ａに引き通し配線する。これにより、現用光ファイバ７１２と保留光ファイバ７１１とが、別々の配線ルートに明瞭に区分けして配線されることとなり、現用光ファイバ７１２と保留光ファイバ７１１との輻輳を確実に防止できる。
【００３１】
整列エレメント３３ａの着脱壁３３５は、ベース部３３ｂと蓋体３３ｃとによって構成されている断面コ字型のエレメント本体３３６に着脱可能に設けられており、着脱によって、エレメント本体３３６の側部（ベース部３３ｂの突壁３３ｅとは反対側の側部。以下、作業側部とも言う）における光ファイバ収容空間３３ｄの開口部３３ｆを開閉する。光ファイバ収容空間３３ｄの開口部３３ｆは、エレメント本体３３６の作業側部の全長にわたって延在しており、第１ゲート部３３１と第２ゲート部３３２とに連通している。
エレメント本体３３６の作業側部に着脱壁３３５を装着した状態では、第１ゲート部３３１と第２ゲート部３３２との間での成端光ファイバ７１の移動が着脱壁３３５によって規制されるが、図８中、仮想線に示すように、エレメント本体３３６から着脱壁３３５を離脱させると、開口部３３ｆ全体が開放されるため、第１ゲート部３３１と第２ゲート部３３２との間での成端光ファイバ７１の移動を自由に行えるようになる。
エレメント本体３３６から着脱壁３３５を離脱させた状態では、例えば、現用光ファイバ７１２を第１ゲート部３３１から第２ゲート部３３２に移動して保留光ファイバ７１１としたり、逆に、保留光ファイバ７１１を第２ゲート部３３２から第１ゲート部３３１に移動して現用光ファイバ７１１として用いるといった切り替え作業を簡単に行うことができる。
また、エレメント本体３３６の第１ゲート部３３１付近には、ベース部３３ｂ及び蓋板３３ｃに作業側部側から切り込んだ形状に形成された光ファイバ確認窓３３ｇが設けられている。この光ファイバ確認窓３３ｇによって、第１ゲート部３３１に通される成端光ファイバ７１２を容易に目視確認できる。
【００３２】
なお、図示例の整列エレメント３３ａでは、着脱壁３３５は、エレメント本体３３６の作業側部に設けられたガイド溝３３６ａ（図９参照）にガイドされつつ作業側部に沿ってスライド移動自在であり、第２ゲート部３３２から抜き出すことでエレメント本体３３６から離脱でき、逆に、第２ゲート部３３２から作業側部に沿ってスライド移動させるようにしてガイド溝３３６ａに係合させていくことで作業側部に装着できるようになっている。但し、整列エレメント３３ａのエレメント本体３３６に対して着脱壁３３５を着脱可能に装着するための構成としては、図示例の構成に限定されず、例えば、ヒンジを介して、エレメント本体３３６に回転自在に取り付けられたものや、エレメント本体３３６の側部への押し込みによって離脱可能に嵌合又は係合して装着される構造のもの（強く引っ張るか、係合解除用のレバーの操作等によって離脱できる構造）等、各種構成が採用可能である。
【００３３】
図５、図７に示すように、モジュール収容ユニット５は、前記モジュール収容部５１と、このモジュール収容部５１から前記光モジュール４の光コネクタアダプタ４２に対する成端光ファイバ７１の切替接続作業が行われる作業面側に突設された成端光ファイバ用ダクト５３と、前記モジュール収容部５１の下に設けられたケーブル側光ファイバ用ダクト５４とを有している。成端光ファイバ用ダクト５３は、ケーブル側光ファイバ用ダクト５４よりも作業面側に位置している。
ケーブル側光ファイバ用ダクト５４をモジュール収容部５１の下に設けたことは、ケーブル側光ファイバ用ダクト５４の全体をモジュール収容部５１の作業面側に設置した場合に比べて、モジュール収容ユニット５の奥行き方向の寸法を縮小できる利点がある。
【００３４】
成端光ファイバ用ダクト５３は、成端架２の左右方向（図２（ａ）左右）に沿って延在するモジュール収容ユニット５の延在方向に沿って左右に延在されている。この成端光ファイバ用ダクト５３には、配線架３から成端架２に引き込まれて光モジュール４の光コネクタアダプタ４２に接続された成端光ファイバ７１が配線される。なお、図６（ａ）、図７に示すように、光モジュール４の光コネクタアダプタ４２に接続された成端光ファイバ７１において、光モジュール４からモジュール収容ユニット５の作業面側に成端光ファイバ用ダクト５３まで延びる部分は、成端光ファイバ用ダクト５３上に突設されたＲガイド５６及びクリップ５７によって緩やかに湾曲した状態が維持される。クリップ５７は、一対の樹脂製線材５７ａの間に成端光ファイバ７１を離脱可能に保持するものであり、光モジュール４単位で複数本の成端光ファイバ７１を一括保持することができる。
【００３５】
ケーブル側光ファイバ用ダクト５４は、モジュール収容ユニット５に沿って成端光ファイバ用ダクト５３と並列に左右に延在されている。このケーブル側光ファイバ用ダクト５４には、成端架２に導入された光ファイバケーブル６の端末からモジュール収容ユニット５に引き込まれて光モジュール４の光コネクタアダプタ４３に接続されたケーブル側光ファイバ６１が配線される。ケーブル側光ファイバ６１は、余長収容空間３４から目的のモジュール収容ユニット５のケーブル側光ファイバ用ダクト５４に引き込まれて、目的の光モジュール４まで配線される。
図７に示すように、ケーブル側光ファイバ用ダクト５４は、モジュール収容部５１から作業面側に張り出した部分（張出部５４ａ）を有し、ケーブル側光ファイバ６１は、上方開放されている張出部５４ａからモジュール収容ユニット５の作業面側に引き上げるようにして目的の光モジュール４の光コネクタアダプタ４３に接続される。
【００３６】
なお、成端光ファイバ用ダクト５３及びケーブル側光ファイバ用ダクト５４は、いずれも、樋状に形成されているため、配線された光ファイバ６１、７１が脱落しにくく、また、ケーブル側光ファイバ６１と成端光ファイバ７１とが輻輳するといった不都合も確実に防止できる。
また、ケーブル側光ファイバ用ダクト５４は、余長収容空間３４側からケーブル側光ファイバ６１を引き込める構成に限定されず、余長収容空間３４とは反対の側からのケーブル側光ファイバ６１の引き込みが可能な構成であっても良い。この場合、余長収容空間３４側から引き込まれる成端光ファイバ７１とケーブル側光ファイバ６１との干渉回避が容易になり、引き込み作業性の向上、光モジュールに対する切替接続の作業性の向上等を図ることができる。
【００３７】
図２（ａ）に示すように、余長収容空間３４には、配線架３から成端架２に引き込まれる成端光ファイバ７１の余長７１ａが収容される。余長収容空間３４に収容される成端光ファイバ７１の余長７１ａは、成端光ファイバ７１が引き込まれたモジュール収容ユニット５の成端光ファイバ用ダクト５３の余長収容空間３４側の端部（以下、導入端部５３ａとも言う）と、整列盤３３Ａ、３３Ｂとから下方に垂れ下がるようにしてＵ字状に湾曲処理される。また、余長収容空間３４は、接続盤ユニット２２及び整列盤３３Ａ、３３Ｂよりも下方に延在する下方延長空間３４ａの上下方向寸法により、モジュール収容ユニット５と整列盤３３Ａ、３３Ｂとの間に確保した成端光ファイバ７１の余長７１ａが長い場合や、前面側あるいは背面側の接続盤２３、２４において下部に位置するモジュール収容ユニット５と、整列盤３３Ａ、３３Ｂの下部に位置する整列エレメント３３ａとの間に確保された余長７１ａについても、Ｕ字状の湾曲処理を確実に行うことができ、配線架３から成端架２に引き込まれる全ての成端光ファイバ７１の余長７１ａについて、モジュール収容ユニット５と整列盤３３Ａ、３３Ｂとの間に垂れ下げるようなＵ字状の湾曲処理を行える。
【００３８】
この光配線盤１では、前面側接続盤２３と背面側接続盤２４とを有する接続盤ユニット２２を採用したことで、充分な収容心数を確保しつつ、前記接続盤ユニット２２を、前記成端架２及び前記配線架３が設置される設置床８から上方に離隔した位置、すなわち、出来るだけ光配線盤１の上側への設置を実現している。また、前記整列盤３３Ａ、３３Ｂについても、偏平形状の整列エレメント３３ａの採用によって、設置床８から上方に離隔した位置への設置を実現している。これにより、この光配線盤１では、余長収容空間３４の下方延長空間３４ａに充分な大きさ（ここでは上下方向寸法の大きさを指す）を確保しており、全ての成端光ファイバ７１の余長７１ａについて、モジュール収容ユニット５と整列盤３３Ａ、３３Ｂとの間に垂れ下げるようなＵ字状の湾曲処理を実現し、かつ、モジュール収容ユニット５の設置数の確保によって、収容心数を充分に確保している。
【００３９】
ケーブル側光ファイバ６１は、図２（ａ）、図３に示すように、接続盤ユニット２２の余長収容空間３４側の側部に設けられているファイバ固定部５５によって離脱可能に引き留めることができる。ファイバ固定部５５は、モジュール収容ユニット５毎に設置されており、ケーブル側光ファイバ６１を、引き込み対象の目的のモジュール収容ユニット５の成端光ファイバ用ダクト５３の導入端部５３ａ付近で引き留めることができる。ファイバ固定部５５は、着脱式の固定部材５５ａ（図２（ａ）参照）を取り付けることで成端光ファイバ７１を固定する構造であるため、切替接続等に伴うモジュール収容ユニット５間での成端光ファイバ７１の移設等の作業を行う場合は、ファイバ固定部５５から固定部材５５ａを離脱することで、成端光ファイバ７１の固定を簡単に解除でき、作業性確保の点で有利である。また、図１、図３に示すように、ケーブル側光ファイバ６１は、前面側接続盤２３の各モジュール収容ユニット５に対応して設けられて上下に多段に配列されたファイバ固定部５５の列と、背面側接続盤２４の各モジュール収容ユニット５に対応して設けられて上下に多段に配列されたファイバ固定部５５の列との間に確保された引き込み空間５５ｂを介して、ケーブル側光ファイバ用ダクト５４に引き込まれる。
図示例のように、ケーブル収容空間２５から前面側接続盤２３までのケーブル側光ファイバ６１の配線ルートと、ケーブル収容空間２５から背面側接続盤２４までのケーブル側光ファイバ６１の配線ルートとが区分けされている構成であれば、ケーブル側光ファイバ６１の本数が多い場合でも、ケーブル側光ファイバ６１の輻輳を回避することができ、成端架２に引き込んだ光ファイバケーブル６端末から光モジュール４までケーブル側光ファイバ６１を配線する作業や、移設、撤去といった作業の作業性を向上できるといった利点がある。
【００４０】
なお、図示例の光配線盤１では、接続盤ユニット２２を構成する前面側接続盤２３のモジュール収容ユニット５の上下位置と、背面側接続盤２４のモジュール収容ユニット５の上下位置とが揃えられており、前面側接続盤２３のモジュール収容ユニット５毎に設けられたファイバ固定部５５と、背面側接続盤２４のモジュール収容ユニット５毎に設けられたファイバ固定部５５とは上下位置が揃えられている。引き込み空間５５ｂを介して横並びに配置されたファイバ固定部５５間は後付け可能な連結板５５ｃ（図３のみに図示）で連結されることで、一つのユニット（固定部ユニット５５ｄ）を構成する。ケーブル側光ファイバ６１は、ケーブル収容空間２５から、引き込み空間５５ｂを介して横並びに配置された一対のファイバ固定部５５と連結板５５ｃとで囲まれる引き込み空間５５ｂ、つまり、固定部ユニット５５ｄの内側を経由して、ケーブル側光ファイバ用ダクト５４に到達するように配線される。
一方、成端光ファイバ７１は、固定部ユニット５５ｄの内側には配線されず、固定部ユニット５５ｄの外側を通るようにして、整列盤３３Ａ、３３Ｂからモジュール収容ユニット５の成端光ファイバ用ダクト５３に引き込み配線される。このため、余長収容空間３４では、ケーブル側光ファイバ６１と成端光ファイバ７１とが固定部ユニット５５ｄの内外に区分けして配線されるため、輻輳を防止できる。
【００４１】
この光配線盤１では、配線架３から成端架２に引き込んだ成端光ファイバ７１を、前面側あるいは背面側の接続盤２３、２４のモジュール収容ユニット５の光モジュール４に実装されている光コネクタアダプタ４２にコネクタ接続することで、前記光コネクタアダプタ４２によってコネクタ接続可能に成端されているケーブル側光ファイバ６１と成端光ファイバ７１とが光接続され、光ファイバケーブル６側の光線路を、成端光ファイバ７１に接続されている伝送装置等と接続できる。成端光ファイバ７１は、先端の光コネクタ７２によって、光モジュール４の光コネクタアダプタ４２に対して切替接続可能であり、これにより、光ファイバケーブル６側の光線路に対する成端光ファイバ７１の接続を切り替えることができる。
【００４２】
図３に示すように、配線架３から成端架２に引き込まれる成端光ファイバ７１は、余長収容空間３４での振り分け配線によって、前面側接続盤２３への引き込みと背面側接続盤２４への引き込みとを選択できる。したがい、光モジュール４の光コネクタアダプタ４２に対する成端光ファイバ７１の切替接続を、前面側接続盤２３のモジュール収容ユニット５に収容されている光モジュール４の光コネクタアダプタ４２と、背面側接続盤２４のモジュール収容ユニット５に収容されている光モジュール４の光コネクタアダプタ４２との間で行う場合、余長収容空間３４での配線ルートの変更によって、前面側接続盤２３及び背面側接続盤２４の一方から他方へ成端光ファイバ７１の引き込み先を変更することで、引き込み先のモジュール収容ユニット５の選択を簡単に行うことができ、切替接続の作業性を確保できる。
【００４３】
また、この光配線盤１では、成端架２に設置されるモジュール収容ユニット５を、前面側接続盤２３と背面側接続盤２４とに分けて設置することで、モジュール収容ユニット５の設置位置を出来るだけ光配線盤１の上側として、全ての成端光ファイバ７１の余長７１ａについて、モジュール収容ユニット５と整列盤３３Ａ、３３Ｂとの間に垂れ下げるようなＵ字状の湾曲処理を実現したことにより、成端光ファイバ７１の余長処理手法が統一されるため、光モジュール４の光コネクタアダプタ４２に対する成端光ファイバ７１の切替接続、光モジュール４の光コネクタアダプタ４２に接続される成端光ファイバ７１（現用光ファイバ７１２）の増設（保留光ファイバ７１１を現用光ファイバ７１２に変更すること等）、撤去（現用光ファイバ７１２を保留光ファイバ７１１に変更すること等）等の作業性を確保できる。
【００４４】
図１１（ａ）、（ｂ）は、配線架３に、前面側の整列盤３３Ａから背面側接続盤２４に引き込まれる成端光ファイバ７１（現用光ファイバ７１２）と、背面側の整列盤３３Ｂから前面側接続盤２３に引き込まれる成端光ファイバ７１（現用光ファイバ７１２）とが配線される渡り配線棚９を設けた例を示す。図１１（ａ）、（ｂ）において、渡り配線棚９は、互いの下端位置をほぼ揃えて設けられている前後の整列盤３３Ａ、３３Ｂの下側に配置されている。
図１１（ｂ）、図１２に示すように、渡り配線棚９はプレート状であり、この渡り配線棚９の成端架３の前後方向（奥行き方向）に沿った延在方向中央部には、該渡り配線棚９上に配線される成端光ファイバ７１の湾曲状態を維持するための湾曲面９１ａが形成された湾曲維持部材９１が設けられている。
【００４５】
前面側の整列盤３３Ａから延出されて背面側接続盤２４に引き込まれる成端光ファイバ７１は、余長収容空間３４側から、渡り配線棚９の内、湾曲維持部材９１よりも配線架３の前面側に位置する前面側棚部９２上に引き込まれて、渡り配線棚９上を配線架３の背面側に向けて配線され、渡り配線棚９の内の湾曲維持部材９１よりも配線架３の背面側に位置する背面側棚部９３から余長収容空間３４側に引き出すように配線される。また、背面側の整列盤３３Ｂから延出されて前面側接続盤２３に引き込まれる成端光ファイバ７１は、余長収容空間３４側から、渡り配線棚９の背面側棚部９３上に引き込まれて、渡り配線棚９上を配線架３の前面側に向けて配線され、前面側棚部９２から余長収容空間３４側に引き出すように配線される。
【００４６】
なお、前面側棚部９２は前面側の整列盤３３Ａの下方に位置し、背面側棚部９３は背面側の整列盤３３Ｂの下方に位置しており、整列盤３３Ａ、３３Ｂから渡り配線棚９までの成端光ファイバ７１の配線は、整列盤３３Ａ、３３Ｂの整列エレメント３３ａ（具体的には第１引き出しゲート部３３１）から下方への配線によって行える。また、渡り配線棚９から接続盤ユニット２２まで配線される成端光ファイバ７１は、接続盤ユニット２２のモジュール収容ユニット５と渡り配線棚９とから下方に垂れ下げるようにして余長収容空間３４内にＵ字状に湾曲配線することで余長処理を行う。この点、渡り配線棚９の設置位置は、配線架３において出来るだけ上側であることが好ましい。図示例の光配線盤では、前後の整列盤３３Ａ、３３Ｂの下端位置は接続盤ユニット２２の下端位置よりも上側であり、渡り配線棚９の設置位置も接続盤ユニット２２の下端位置よりも上側である。渡り配線棚９の設置位置は、前後の整列盤３３Ａ、３３Ｂよりも上側であっても良い。
また、渡り配線棚９は、前面側の整列盤３３Ａから背面側接続盤２４に引き込まれる成端光ファイバ７１が配線されるものと、背面側の整列盤３３Ｂから前面側接続盤２３に引き込まれる成端光ファイバ７１が配線されるものとを個別に設けることも可能である。
また、図１２において、符号３０ａは、配線架３を構成するフレーム（架本体３０）の柱であり、渡り配線棚９は、この柱３０ａに取り付けられている。渡り配線棚９の前面側棚部９２及び背面側棚部９３は、柱３０ａを介して配線架３の前後両側に配置されている。
湾曲維持部材９１は、必須ではなく、省略が可能である。
【００４７】
上述のように、渡り配線棚９が設けられた構成であれば、前面側の整列盤３３Ａから背面側接続盤２４に引き込まれる成端光ファイバ７１、及び、背面側の整列盤３３Ｂから前面側接続盤２３に引き込まれる成端光ファイバ７１について、渡り配線棚９上での配線によって、前面側接続盤２３及び背面側接続盤２４の位置に対応させて、配線架３から余長収容空間３４への引き出し位置を選択できるため、余長収容空間３４に配線する成端光ファイバ７１を前面側接続盤２３及び背面側接続盤２４に対応して纏めることができ、接続盤ユニット２２の光コネクタアダプタ４２に対する切替接続の作業性の向上等を実現できる。
【００４８】
なお、本発明は、前述した実施形態に限定されず、各種変更が可能であることは言うまでも無い。
例えば、光モジュールに実装された光コネクタによるケーブル側光ファイバのコネクタ成端は、上述の実施形態のように、光モジュール４の光コネクタアダプタ４３にて、ケーブル側光ファイバ６１先端の光コネクタ６２を利用して、光モジュール４内の光ファイバ４４とコネクタ接続することに限定されず、予め、一端が光モジュールの光コネクタによってコネクタ接続可能に成端されている光モジュール内の光ファイバの他端に対する融着接続等によって実現することも可能である。但し、ケーブル側光ファイバ６１先端の光コネクタ６２を利用した光モジュール４内の光ファイバ４４とのコネクタ接続であれば、成端の作業性の点で有利である。
また、モジュール収容ユニットとして、光モジュールを縦置き横並びに複数配列させた状態に収容する構成のものを例示したが、本発明はこれに限定されず、例えば、外観薄板状に形成されたケース状の光モジュールを横置きで上下に複数積層した状態に収容する構成のもの等も採用可能である。
【図面の簡単な説明】
【００４９】
【図１】本発明に係る光配線盤１を示す全体斜視図である。
【図２】図１の光配線盤を示す図であり、（ａ）は正面図、（ｂ）は側面図である。
【図３】図２（ｂ）のＡ−Ａ線矢視図である。
【図４】図２（ａ）のＢ−Ｂ線矢視図（部分断面図）である。
【図５】図１の光配線盤の成端架に搭載されるモジュール収容ユニットを示す斜視図である。
【図６】図５のモジュール収容ユニットを示す図であって、（ａ）は平面図、（ｂ）は正面図である。
【図７】図５のモジュール収容ユニットの構造を示す側面図である。
【図８】図１の光配線盤の配線架に設けられる整列エレメントを示す斜視図である。
【図９】図８のＣ−Ｃ線矢視図であり、整列エレメントの断面構造を示す図である。
【図１０】図１の光配線盤の配線架に設けられる保留エレメントを示す斜視図である。
【図１１】図１の光配線盤に渡り配線棚を設けた例を示す図であって、（ａ）は正面図、（ｂ）は側面図である。
【図１２】図１１の渡り配線棚を示す平面図である。
【図１３】従来例の光配線盤の構造を示す図であって、（ａ）は正面図、（ｂ）は側断面図である。
【符号の説明】
【００５０】
１…光配線盤、２…成端架、２２…接続盤ユニット、２３…前面側接続盤、２４…背面側接続盤、２５…ケーブル収容空間、３…配線架、８…設置床、３３Ａ、３３Ｂ…整列盤、３３ａ…整列エレメント、３３１…第１ゲート部、３３２…第２ゲート部、３４…余長収容空間、３４ａ…下方延長空間、３５…保留エレメント、４…光モジュール、４２…光コネクタ（光コネクタアダプタ）、４３…光コネクタ（ケーブル接続用光コネクタ、光コネクタアダプタ）、５…モジュール収容ユニット、５１…モジュール収容部、５３…成端光ファイバ用ダクト、５４…ケーブル側光ファイバ用ダクト、６…光ファイバケーブル、６１…光ファイバ（ケーブル側光ファイバ）、６２…光コネクタ（光コネクタプラグ）、７１…光ファイバ（成端光ファイバ）、７１ａ…余長、７１１…成端光ファイバ（保留光ファイバ）、７１２…成端光ファイバ（現用光ファイバ）、７２…光コネクタ（光コネクタプラグ）、９…渡り配線棚。
【図１】
2006126512.tif 000003
【図２】
2006126512.tif 000004
【図３】
2006126512.tif 000005
【図４】
2006126512.tif 000006
【図５】
2006126512.tif 000007
【図６】
2006126512.tif 000008
【図７】
2006126512.tif 000009
【図８】
2006126512.tif 000010
【図９】
2006126512.tif 000011
【図１０】
2006126512.tif 000012
【図１１】
2006126512.tif 000013
【図１２】
2006126512.tif 000014
【図１３】
2006126512.tif 000015